(57)【特許請求の範囲】
【請求項１】
第１の所定のサイズを有し第１の体積を超える薬剤を含むことができる第１の薬剤容器（２）を保持するように適用された薬剤容器キャリア（１）であって：
本体と；
該本体に連結されるアダプタ（４）であって、第１の所定のサイズと異なる第２の所定のサイズを有し第１の体積以下の薬剤を含むことができる第２の薬剤容器（３）を保持するように適用されたアダプタと、を含む薬剤容器キャリアであり、ここで、前記アダプタ（４）は第２の薬剤容器（３）がアダプタ内に軸方向および回転方向に固定されるように第２の薬剤容器（３）を保持するように適用されており、また、アダプタ（４）はアダプタ（４）が薬剤容器キャリア（１）内に軸方向および回転方向に固定されるように薬剤容器キャリア（１）内に保持されるように適用されている、
前記薬剤容器キャリア。
【請求項２】
第１の体積は約２ｍＬである、請求項１に記載の薬剤容器キャリア（１）。
【請求項３】
アダプタ（４）は、第２の薬剤容器（３）の遠位端に当接するように適用された遠位リブ（４．２）を含む、請求項１または２に記載の薬剤容器キャリア（１）。
【請求項４】
アダプタ（４）は、第２の薬剤容器（３）への視覚的アクセスを提供する少なくとも１つの開口部（４．１）を含む、請求項１〜３のいずれか１項に記載の薬剤容器キャリア（１）。
【請求項５】
アダプタ（４）は、第２の薬剤容器（３）と係合するように適用された少なくとも１つの弾性のアーム（４．３）を含む、請求項１〜４のいずれか１項に記載の薬剤容器キャリア（１）。
【請求項６】
アーム（４．３）は、該アーム（４．３）を第１の半径方向に偏向させるようにフランジ（３．５）の遠位面と係合するように適用された第１の斜面（４．９）を含む、請求項５に記載の薬剤容器キャリア（１）。
【請求項７】
アーム（４．３）は、アダプタ（４）に対する第２の薬剤容器（３）の回転を防止するようにフランジ（３．５）と係合するように適用された第１の当接表面（４．５）と、アダプタ（４）に対する第２の薬剤容器（３）の軸方向移動を防止するようにフランジ（３．５）と係合するように適用された第２の当接表面（４．４）と、を含む、請求項５または６に記載の薬剤容器キャリア（１）。
【請求項８】
アーム（４．３）は、該アーム（４．３）を第２の半径方向に偏向させるように本体の係合要素と係合するように適用された第２の斜面（４．８）を含む、請求項５〜７のいずれか１項に記載の薬剤容器キャリア（１）。
【請求項９】
アーム（４．３）は、本体に対するアダプタ（４）の軸方向移動を防止するように本体内の近位止め具に当接するように適用された第３の当接表面（４．６）と、本体に対するアダプタ（４）の回転を防止するように本体内の拘束表面と係合するように適用された第４の当接表面（４．７）と、を含む、請求項５〜８のいずれか１項に記載の薬剤容器キャリア（１）。
【請求項１０】
近位止め具は、本体の隙間（１．１）に形成されている、請求項９に記載の薬剤容器キャリア（１）。
【請求項１１】
第１の薬剤容器（２）および第２の薬剤容器（３）は、充填済みシリンジおよび薬剤カートリッジのうちの各１つである、請求項１〜１０のいずれか１項に記載の薬剤容器キャリア（１）。
【請求項１２】
ハウジングと；
該ハウジングに配置される、請求項１〜１１のいずれか１項に記載の薬剤容器キャリア（１）と、
を含む、薬剤送達デバイス。
【請求項１３】
薬剤容器キャリア（１）は、ハウジング内に摺動可能に配置される請求項１２に記載の薬剤送達デバイス。
【発明の詳細な説明】
【技術分野】
【０００１】
本発明は、薬剤容器（ｍｅｄｉｃａｍｅｎｔ  ｃｏｎｔａｉｎｅｒ）キャリア（ｃａｒｒｉｅｒ）用のアダプタに関する。
【背景技術】
【０００２】
慣用の薬剤送達デバイス（例えば、自己注射器）において、充填済み薬剤容器（例えば、シリンジ）は、注射部位における針穿通および場合により針抜去を達成するように軸方向に可動であるキャリアに収納される。慣用のキャリアは、典型的には、所定のサイズの薬剤容器を保持するようにサイズおよび形状が形成される。送達デバイスによって投与することができる用量（ｄｏｓｅ）を増大させるためには、より大きい薬剤容器を収容するために、より大きいキャリアが必要とされる。しかしながら、送達デバイスのサイズおよび形状は、より大きい薬剤容器のための空間を提供しない可能性がある。したがって、異なる投与量（ｄｏｓａｇｅ  ａｍｏｕｎｔ）のために、全く異なる送達デバイスが必要となる場合がある。
【０００３】
したがって、キャリアがさまざまなサイズの薬剤容器を収容することを可能にする、キャリアおよびアダプタに関する要求がある。
【発明の概要】
【発明が解決しようとする課題】
【０００４】
薬剤容器キャリアおよび薬剤容器キャリア用のアダプタを提供することが、本発明の目的である。
【課題を解決するための手段】
【０００５】
例示的な実施形態において、本発明による、第１の所定のサイズを有し第１の体積を超える薬剤を含むことができる第１の薬剤容器を保持するように適用された薬剤容器キャリアは、本体と、本体に連結されるアダプタと、を含む。アダプタは、第１の所定のサイズと異なる第２の所定のサイズを有し第１の体積以下の薬剤を含むことができる第２の薬剤容器を保持するように適用されている。
【０００６】
実施形態において、第１の体積は約２ｍＬである。
【０００７】
実施形態において、アダプタは、第２の薬剤容器の遠位端に当接するように適用された遠位リブを含む。
【０００８】
実施形態において、アダプタは、第２の薬剤容器への視覚的アクセスを提供する少なくとも１つの開口部を含む。
【０００９】
実施形態において、アダプタは、第２の薬剤容器と係合するように適用された少なくとも１つの弾性のアームを含む。アームは、アームを第１の半径方向に偏向させるようにフランジの遠位面と係合するように適用された第１の斜面（ｒａｍｐ）を含む。アームは、アダプタに対する第２の薬剤容器の回転を防止するようにフランジと係合するように適用された第１の当接表面と、アダプタに対する第２の薬剤容器の軸方向移動を防止するようにフランジと係合するように適用された第２の当接表面と、を含む。アームは、アームを第２の半径方向に偏向させるように本体の係合要素と係合するように適用された第２の斜面を含む。アームは、本体に対するアダプタの軸方向移動を防止するように本体内の近位止め具（ｓｔｏｐ）に当接するように適用された第３の当接表面と、本体に対するアダプタの回転を防止するように本体内の拘束表面と係合するように適用された第４の当接表面と、を含む。近位止め具は、本体の隙間（ａｐｅｒｔｕｒｅ）内に形成されている。
【００１０】
実施形態において、第１の薬剤容器および第２の薬剤容器は、充填済みシリンジおよび薬剤カートリッジのうちの各１つである。
【００１１】
実施形態において、本発明による薬剤送達デバイスは、ハウジングと、本明細書中に記載される実施形態による薬剤容器キャリアと、を含む。薬剤容器キャリアは、ハウジング内に摺動可能に配置されてもよい。
【００１２】
本発明の適用性のさらなる範囲は、以降に与えられる詳細な説明から明らかになるであろう。しかしながら、詳細な説明および具体的な例は、本発明の好ましい実施形態を示す一方、本発明の精神および範囲内のさまざまな変更および修正はこの詳細な説明から当業者に明らかになるので、単に例示の目的で与えられることを理解されたい。
【００１３】
本発明は、以下に与えられる詳細な説明、ならびに単に例示の目的で与えられ、本発明を制限しない添付図面から、より完全に理解されよう。
【図面の簡単な説明】
【００１４】
【図１】本発明による容器キャリアおよび第１の薬剤容器の例示的な実施形態の概略斜視分解図である。
【図２】本発明による第１の薬剤容器に連結された容器キャリアの実施形態の概略斜視図である。
【図３】本発明による容器キャリア、アダプタおよび第２の薬剤容器の実施形態の概略斜視分解図である。
【図４】本発明によるアダプタの実施形態の概略斜視図である。
【図５】本発明によるアダプタに連結された第２の薬剤容器の実施形態の概略斜視図である。
【図６】本発明によるアダプタおよび第２の薬剤容器に連結された容器キャリアの実施形態の概略斜視図である。
【図７】本発明によるアダプタおよび第２の薬剤容器に連結された容器キャリアの実施形態の概略斜視詳細図である。
【発明を実施するための形態】
【００１５】
全ての図において、対応する部分は同一の参照符号で示される。
【００１６】
図１は、本発明による第１の薬剤容器２を保持するように適用された本体を有する容器キャリア１の実施形態の概略斜視分解図である。シリンジ、アンプル、カートリッジ等であってもよい第１の薬剤容器２は、第１の所定のサイズ（例えば、長さ、直径、等）を有し、および第１の最大量以下の薬剤を含む。例えば、第１の薬剤容器２は、２ｍＬの用量の薬剤を含む充填済みシリンジであってもよい。
【００１７】
実施形態において、第１の薬剤容器２は、薬剤容器本体２．１と、薬剤容器本体２．１の遠位端に取り付けられおよび薬剤を含むための薬剤容器本体２．１内に画定された空洞と流体連通する針２．２と、薬剤容器本体２．１の近位端の近くの空洞内に配置されるストッパ（ｓｔｏｐｐｅｒ）（例示されない）と、を含み、ここで、ストッパは、空洞を近位で封止し、および針２．２を通して薬剤を放出するために空洞内で軸方向に移動され得る。針２．２は、容器本体２．１に固定されてもよく、またはそれに取り外し可能に連結されてもよい。後者の実施形態において、針２．２は、両先端針（ｄｏｕｂｌｅ−ｔｉｐｐｅｄ  ｎｅｅｄｌｅ）であってもよく、および本体２．１の遠位端は、針２．２の近位先端を受けるセプタムを含んでもよい。
【００１８】
図２は、それに連結された第１の薬剤容器２を備える、容器キャリア１の実施形態の概略斜視図である。第１の薬剤容器２は、容器キャリア１の近位開口部内に挿入され、およびそれが遠位止め具に当接するまで遠位に移動されてもよい。容器キャリア１内の保持機構（例えば、スナップ、クリップ、ロック、等）は、第１の薬剤容器２が容器キャリア１に関して軸方向に移転および／または容器キャリア１に関して回転するのを防止するように、第１の薬剤容器２の近位端（例えば（１つまたはそれ以上の）フランジ）と係合してもよい。
【００１９】
図３は、容器キャリア１、アダプタ４、および第２の薬剤容器３の実施形態の概略斜視分解図である。図４は、アダプタ４の実施形態の概略斜視図である。
【００２０】
実施形態において、アダプタ４は、第１の薬剤容器２の第１の所定のサイズよりも小さい第２の所定のサイズを有する第２の薬剤容器３と係合するように設計される。アダプタ４は、さらに、容器キャリア１と係合するように設計されてもよい。第２の薬剤容器３は、薬剤容器本体３．１と、薬剤容器本体３．１の遠位端に取り付けられおよび薬剤を含むための薬剤容器本体３．１内に画定される空洞と流体連通する針３．２と、薬剤容器本体３．１の近位端の近くの空洞内に配置されるストッパ（例示されない）と、を含み、ここで、ストッパは、空洞を近位で封止し、および針３．２を通して薬剤を放出するために空洞内で軸方向に移動され得る。針３．２は、容器本体３．１に固定されてもよく、またはそれに取り外し可能に連結されてもよい。後者の実施形態において、針３．２は、両先端針であってもよく、および本体３．１の遠位端は、針３．２の近位先端を受けるセプタムを含んでもよい。フランジ３．５は、薬剤容器本体３．１の近位端に配列されてもよい。実施形態において、フランジ３．５は、２つの直線セクション３．７によって接続される２つの円弧セクション３．６を含む。
【００２１】
実施形態において、アダプタ４は、薬剤送達デバイス（例えば、ペン注射器、自己注射器、等）がさまざまな薬剤容器サイズを収容することを可能にするように使用されてもよい。アダプタ４は、異なる薬剤容器サイズのための共通の送達デバイスの使用を可能にし得る。したがって、デバイスコストの削減および薬剤投与の一貫性は達成され得る。
【００２２】
実施形態において、アダプタ４は、第２の薬剤容器３がアダプタ４内で軸方向および回転方向に固定されるように、第２の薬剤容器３を保持するように適用される。また、アダプタ４は、アダプタ４が容器キャリア１内で軸方向および回転方向に固定されるように、容器キャリア１内で保持されるように適用される。第２の薬剤容器３の回転を防止することは、針３．２が注射の間に回転することを防止し、したがって、さもなければ痛みをもたらし得る針３．２の曲がりおよびゆがみのリスクを低減させる。また、近位方向Ｐへの薬剤容器３の軸方向運動を防止することは、注射部位と針３．２の接触の際に、第２の薬剤容器３がアダプタ４および容器キャリア１に関して近位方向Ｐに押されることを防止する。
【００２３】
図４に示されるような実施形態において、アダプタ４は、容器キャリア１および第２の薬剤容器３を伸縮自在に係合するようにサイズおよび／または形状が形成されてもよい。例えば、アダプタ４は、容器キャリア１の内部形状に対応する外部構造と、第２の薬剤容器３の第２の所定のサイズ／形状に対応する内部構造と、を有していてもよい。アダプタ４の遠位端に形成された遠位リブ４．２は、遠位リブ４．２を越える第２の薬剤容器３の遠位の動きを防止するように、容器本体３．１の遠位端に当接するように適用されてもよい。
【００２４】
実施形態において、アダプタ４は、第２の薬剤容器３の内容および状態の検査を可能にするための１つまたはそれ以上の側面開口部４．１を含んでもよい。別の実施形態において、アダプタ４は、第２の薬剤容器３の内容に視覚的アクセスを提供するように、透明／半透明材料で作られてもよい。
【００２５】
実施形態において、アダプタ４は、近位に延びおよび容器本体３．１の近位部分（例えば、フランジ３．５）と係合するように適用された、少なくとも１つの弾性のアーム４．３を含んでもよい。図４に示される実施形態において、アダプタ４は、４つの弾性のアーム４．３を含む。アーム４．３は、第２の薬剤容器３の挿入および保持を容易にするための機能を含んでもよい。例えば、アーム４．３の近位端は、第２の薬剤容器３がアダプタ４内に挿入されたときにフランジ３．５（例えば、直線セクション３．７）と係合するように適用された第１の斜面４．９を含んでもよい。フランジ３．５が第１の斜面４．９と係合する際に、アーム４．３は、フランジ３．５が傾斜した面４．９を回避するまで、第１の半径方向に偏向させられる。図５に示されるように、アーム４．３が非偏向位置（ｎｏｎ−ｄｅｆｌｅｃｔｅｄ  ｐｏｓｉｔｉｏｎ）に戻るとき、第１の当接表面４．５は、フランジ３．５（例えば、直線セクション３．７）と係合しそれによって第２の薬剤容器３がアダプタ４に関して回転するのを防止してもよく、および第２の当接表面４．４は、フランジ３．５の近位面に当接しそれによって第２の薬剤容器３がアダプタ４に関して軸方向に移動するのを防止してもよい。
【００２６】
図４に示される実施形態に戻って参照して、弾性のアーム４．３は、容器キャリア１によるアダプタ４の挿入および保持を容易にする、第２の斜面４．８と、第３の当接表面４．６と、第４の当接表面４．７と、を含んでもよい。例えば、第２の斜面４．８は、アーム４．３の半径方向外側表面に配置されてもよい。アダプタ４が容器キャリア１内に挿入されたとき、第２の斜面４．８は、容器キャリア１の要素または隙間１．１と係合してもよく、これは、第２の斜面４．８が要素を回避するまで、アーム４．３を第２の半径方向（第１の半径方向の反対）に偏向させる。アーム４．３が非偏向位置に戻るとき、第３の当接表面４．６は、容器キャリア１内の近位止め具と係合し、およびこれによって容器キャリア１に対するアダプタ４の軸方向移動を防止してもよい。第４の当接表面４．７は、容器キャリア１に対するアダプタ４の回転を防止するように、容器キャリア１内の表面または要素と係合してもよい。
【００２７】
第２の薬剤容器３は、図６および図７に示されるように、少なくとも２つの方法で容器キャリア１と組み立てられてもよい。第１の方法において、アダプタ４は、容器キャリア１内に挿入され、およびそれが遠位止め具１．３に当接し第３の当接表面４．６が近位止め具に当接するまで、遠位に移動されられてもよい。第２の薬剤容器３は、次いで、アダプタ４内に挿入され、およびそれが遠位リブ４．２に当接し第２の当接表面４．４がフランジ３．５に当接するまで、遠位に移動させられてもよい。第２の方法において、第２の薬剤容器３は、アダプタ４内に挿入されてもよく、およびアダプタ４は、次いで、容器キャリア１内に挿入されてもよい。
【００２８】
実施形態において、第１の薬剤容器２は、約２ｍＬを超える薬剤を含むように適用されてもよく、および第２の薬剤容器は、約２ｍＬ未満の薬剤を含むように適用されてもよい。
【００２９】
当業者は、装置、方法および／またはシステムのさまざまな構成要素および本明細書中に記載される実施形態の修正（付加および／または除去）は、本発明の全範囲および精神から逸脱することなく行われることができ、これは、そのような修正およびその任意のおよび全ての均等物を包含することを理解するであろう。
【図１】
0006487344.tif 000002
【図２】
0006487344.tif 000003
【図３】
0006487344.tif 000004
【図４】
0006487344.tif 000005
【図５】
0006487344.tif 000006
【図６】
0006487344.tif 000007
【図７】
0006487344.tif 000008